(57)【要約】      （修正有）【課題】日本の７月又は８月のお盆時期において、仏壇などに適宜解凍するだけで供えることができるお盆お供え用冷凍料理セットを提供する。【解決手段】個別料理入れ用の小容器本体１に蓋部２を被せた小容器Ａの少なくとも数個以上が、箱状物３内に収納されてなる。各小容器Ａ内には、冷凍された適宜の料理物Ｂが挿入されてなる。また、小容器Ａを平面的に見た形状を方形状とする。【選択図】図１
0003163573.tif 000002
【実用新案登録請求の範囲】
【請求項１】
個別料理入れ用の小容器本体に蓋部を被せた小容器の少なくとも数個以上が、箱状物内に収納されてなり、各小容器内には、冷凍された適宜の料理物が挿入されてなることを特徴とするお盆お供え用冷凍料理セット。
【請求項２】
請求項１において、前記小容器の一部の小容器本体の深さを、他の小容器本体の深さよりも深く形成してなることを特徴とするお盆お供え用冷凍料理セット。
【請求項３】
請求項１又は２において、前記小容器の数を、１０個前後にしてなることを特徴とするお盆お供え用冷凍料理セット。
【請求項４】
請求項１又は２において、前記小容器を平面的に見た形状を方形状としてなることを特徴とするお盆お供え用冷凍料理セット。
【請求項５】
請求項１又は２において、前記小容器を平面的に見た形状を多角形状としてなることを特徴とするお盆お供え用冷凍料理セット。
【請求項６】
請求項１又は２において、前記小容器を平面的に見た形状を円形状としてなることを特徴とするお盆お供え用冷凍料理セット。
【考案の詳細な説明】
【技術分野】
【０００１】
本考案は、日本の７月又は８月のお盆時期において、仏壇などにお供え物を提供するのに、特別にその自宅などで、料理しなくとも、冷凍した料理セット内のものを、適宜解凍するだけで、供えることができるお盆お供え用冷凍料理セットに関する。
【背景技術】
【０００２】
従来より、仏壇などにお供え物を提供する習慣が根付いている。そのお供え物は、種々のものが存在するが、白飯の他、だんご、でんぷら、餅、酢の物、かぼちゃの煮物、あんころ、そうめんなどである。場合によっては、カツモリ御飯、冷し汁ヌキナ等をお供えすることも多い。ところが、近年、そのような日本的な料理を、年配者でも作らないことが多くなりつつある現状である。
【０００３】
また、特許文献１には、調理済の冷凍食品が箱ケースなどに入ったものが掲載されている。しかしながら、その調理済の冷凍食品が遠隔地においても、品質や味覚を損なうことなく喫食できるようにしたものであり、７月又は８月のお盆時期においてのみ、仏壇などにお供え物を提供するのに、特別にその自宅などで、料理しなくとも、冷凍した料理セット内のものを、適宜解凍するだけで供えることができるようにしたものの記載は一切存在しない。
【先行技術文献】
【特許文献】
【０００４】
【特許文献１】特開２００４−１８７６１０
【考案の概要】
【考案が解決しようとする課題】
【０００５】
このため、本考案が解決しようとする課題（技術的課題又は目的等）は、日本の７月又は８月のお盆時期において、仏壇などにお供え物を提供するのに、特別にその自宅などで、料理しなくとも、冷凍した料理セット内のものを、適宜解凍するだけで供えることができるものを開発することを実現することである。
【課題を解決するための手段】
【０００６】
そこで、考案者は上記課題を解決すべく鋭意，研究を重ねた結果、請求項１の考案を、個別料理入れ用の小容器本体に蓋部を被せた小容器の少なくとも数個以上が、箱状物内に収納されてなり、各小容器内には、冷凍された適宜の料理物が挿入されてなることを特徴とするお盆お供え用冷凍料理セットとしたことにより、前記課題を解決したものである。
【０００７】
請求項２の考案を、請求項１において、前記小容器の一部の小容器本体の深さを、他の小容器本体の深さよりも深く形成してなることを特徴とするお盆お供え用冷凍料理セットとしたことにより、前記課題を解決したものである。請求項３の考案を、請求項１において、前記小容器の数を、１０個前後にしてなることを特徴とするお盆お供え用冷凍料理セットとしたことにより、前記課題を解決したものである。
【０００８】
請求項４の考案を、請求項１又は２において、前記小容器を平面的に見た形状を方形状としてなることを特徴とするお盆お供え用冷凍料理セットとしたことにより、前記課題を解決したものである。請求項５の考案を、請求項１又は２において、前記小容器を平面的に見た形状を多角形状としてなることを特徴とするお盆お供え用冷凍料理セットとしたことにより、前記課題を解決したものである。請求項６の考案を、請求項１又は２において、前記小容器を平面的に見た形状を円形状としてなることを特徴とするお盆お供え用冷凍料理セットとしたことにより、前記課題を解決したものである。
【考案の効果】
【０００９】
請求項１の考案においては、特別に、その自宅などで料理しなくとも、冷凍した料理セット内のものを、適宜解凍するだけで、そのまま供えることができる利点がある。さらに、請求項２においては、汁物の料理に対しても解凍したときに零れないようにできる。請求項３の発明では、１０個前後の料理入り小容器が存在しており、お供えとして十分な数として利用できる。請求項４乃至６の発明では、形を変えたとしても、請求項１と同様の効果を奏する。
【図面の簡単な説明】
【００１０】
【図１】（Ａ）は本考案の第１実施形態の斜視図、（Ｂ）は（Ａ）の平面拡大図、（Ｃ）は冷凍料理入りの小容器の斜視図、（Ｄ）は冷凍料理入りの小容器の分解斜視図である。
【図２】（Ａ）は固形物の冷凍料理入りの小容器本体が電子レンジを介して解凍され、解凍された固形物入りの小容器本体と、蓋体とに分離された状態を示す行程図、（Ｂ）は汁物の冷凍料理入りの小容器本体が電子レンジを介して解凍され、解凍された汁物入りの小容器本体、蓋体とに分離され、その小容器本体から別の容器に解凍された汁物が移し換えられる工程図である。
【図３】（Ａ）は汁物の冷凍料理入りの小容器本体（上下逆）が電子レンジを介して解凍され、解凍された汁物入りの蓋体で供えられるようにした工程図、（Ｂ）は汁物の冷凍料理入りの小容器本体（上下逆）が冷蔵庫を介して解凍され、解凍された汁物入りの蓋体で供えられるようにした工程図である。
【図４】（Ａ）は本考案の第２実施形態の平面図、（Ｂ）は（Ａ）に使った冷凍料理入りの小容器の斜視図、（Ｃ）は冷凍料理入りの小容器の分解斜視図である。
【図５】（Ａ）は本考案の第３実施形態の平面図、（Ｂ）は（Ａ）に使った冷凍料理入りの小容器の斜視図、（Ｃ）は冷凍料理入りの小容器の分解斜視図である。
【考案を実施するための形態】
【００１１】
以下、本考案の実施形態について図面に基づいて説明すると、図１乃至図３は本発
明の第１実施形態を示すものである。本考案は、個別料理入れ用の小容器本体１に蓋
部２を被せた小容器Ａの少なくとも数個以上が、箱状物３内に収納されて構成され
ている。前記各小容器内には、冷凍された適宜の料理物Ｂが挿入されている。
【００１２】
前記小容器Ａは、小容器本体１と蓋部２とから構成されている。前記小容器Ａの平面的形状は、基本的には、方形状をなしているが、図４に示すように、八角形としたり、或いは、図５に示すように、円形状をなす場合もある。その方形状の場合について説明すると、前記小容器本体１は、略正方形状の底部１１の周囲に傾斜状立上り部１２が形成され、該傾斜状立上り部１２の頂辺より外側に垂下状部１３が形成され、これらが一体形成されている。
【００１３】
さらに、前記小容器本体１の垂下状部１３は、上側嵌合部１３ａと下側垂下状部１３ｂとの間に段差部１３ｃが形成されている。また、前記蓋部２は、透明又は不透明状に形成され、中の料理物Ｂが目視できるようになっている。また、前記蓋部２は、方形状の頂部２１の周囲より急傾斜状部２２が形成され、該急傾斜状部２２の下端より、前記小容器本体１の上側嵌合部１３ａに嵌合する嵌合部２３が一体形成されている。
【００１４】
前記小容器Ａの小容器本体１及び蓋部２は、合成樹脂製にて一体形成されている。特に、前記蓋部２は透明状に構成されているが、これに限定されない。また、冷凍させる料理によっては、前記小容器Ａの一部の小容器本体１の深さを、図２（Ｂ）に示すように、他の一般の小容器本体１の深さＨ1〔図２（Ａ）参照〕よりも深くした深さＨ２として形成することがある。これは、汁物の場合には、解凍したときに、汁物が溶けて、小容器本体１の外側に零れることを防止できる。
【００１５】
また、汁物の場合にも、前記小容器Ａの小容器本体１の深さは、通常の深さＨ1として使用することもある。この場合は、冷凍済みの料理入りの小容器Ａを上下逆にして、図３（Ａ）に示すように、電子レンジ５に入れたり、或いは、図３（Ｂ）に示すように、冷蔵庫に入れて、それぞれ解凍し、解凍した汁物料理を、深さの深い蓋部２に入れたまま、仏壇などに供える。このようにすることで、解凍したときに、汁物が溶けて、小容器本体１の外側に零れることを防止できる。
【実施例１】
【００１６】
日本の７月又は８月のお盆時期の１３日から１６日までの８食分のセットである。まず、１３日の宵盆では、落付きだんごが冷凍されて、小容器Ａに挿入されている。そして、１４日の塔処参りの朝は、白飯と七色汁がそれぞれ冷凍されて、小容器Ａに挿入されている。特に、七色汁は深さの深い小容器本体１内に挿入されている。その昼には、あんころと丸餅がそれぞれ冷凍されて、小容器Ａに挿入されている。そして、その夜には、白飯と酢の物がそれぞれ冷凍されて、小容器Ａに挿入されている。
【００１７】
１５日の市買の朝は、カツモリ御飯と冷汁（ヌキナ）がそれぞれ冷凍されて、小容器Ａに挿入されている。特に、冷汁（ヌキナ）は深さの深い小容器本体１内に挿入されている。その昼には、そうめんが冷凍されて、小容器Ａに挿入されている。そして、その夜には、白飯と揚物（野菜天ぷら）がそれぞれ冷凍されて、小容器Ａに挿入されている。
【００１８】
１６日の精進送りの朝は、白飯と南瓜とごぼうと油揚の煮物がそれぞれ冷凍されて、小容器Ａに挿入されている。これで、１６種類の料理がそれぞれ冷凍されて、小容器Ａに挿入されている。この場合の汁物は２種類のみである。また、白飯は、４回あるため、この白飯のみを除いて、１２種類とすることもある。このように、冷凍された料理入りの前記小容器の数が、１０個前後に構成されている。
【００１９】
図２（Ａ）及び（Ｂ）においては、解凍するのに、電子レンジ５を使用しているが、実際に本考案品を使う場合には、図３（Ｂ）に示すように、冷蔵庫６内に移しかえて行う。つまり、冷蔵庫６内で少なくとも数時間あれば解凍し、毎日異なる小容器Ａ内の料理を、鮮度を保ちつつ数日間かけての使用にも冷蔵庫６は適している。
【００２０】
１…小容器本体、２…蓋部、Ａ…小容器、３…箱状物、Ｂ…料理物、
Ｈ1，Ｈ２…深さ。
【図１】
0003163573.tif 000003
【図２】
0003163573.tif 000004
【図３】
0003163573.tif 000005
【図４】
0003163573.tif 000006
【図５】
0003163573.tif 000007